(57)【要約】【課題】現在の健康情報と生体情報とを同期させて関連付ける。【解決手段】生体情報収集システムは、入力装置（健康情報入力装置１）と生体情報収集装置２とを備える。健康情報入力装置１は、ある日時の健康状態を示す健康情報と前記ある日時を示す第１時間情報とを入力する。生体情報収集装置２は、生体情報を取得し、取得した日時を示す第２時間情報に関連付けて収集する。この生体情報収集システムは、上記健康情報と上記第１時間情報とに基づきタグ情報を生成する生成部を有し、上記第２時間情報と上記タグ情報が示す上記第１時間情報とに基づき、上記タグ情報を上記生体情報に関連付けた状態で記憶する記憶部を有する。【選択図】図１
2019200573.tif 000002
【特許請求の範囲】
【請求項１】
ある日時の健康状態を示す健康情報と前記ある日時を示す第１時間情報とを入力する入力装置と、
生体情報を取得し、取得した日時を示す第２時間情報に関連付けて収集する生体情報収集装置と、
を備え、
前記健康情報と前記第１時間情報とに基づきタグ情報を生成する生成部を有し、
前記第２時間情報と前記タグ情報が示す前記第１時間情報とに基づき、前記タグ情報を前記生体情報に関連付けた状態で記憶する記憶部を有する、
生体情報収集システム。
【請求項２】
前記入力装置は、既に入力された前記健康情報に基づき、前記健康情報の一種としての経過の健康状態を示す経過情報の入力を促す通知を行う通知部を有する、
請求項１に記載の生体情報収集システム。
【請求項３】
前記入力装置は、
ある症状又は体のある部位についての初めの健康状態を示す、前記健康情報の一種としての初期情報と、前記初期情報についての前記第１時間情報である初期時間情報と、が入力可能に構成されており、且つ、
前記初めの健康状態からの経過を示す、前記健康情報の一種としての経過情報と、前記経過情報についての前記第１時間情報である経過時間情報と、が入力可能に構成されており、
前記生成部は、前記初期情報についての前記タグ情報を、前記初期情報と前記初期時間情報と前記経過時間情報とに基づき生成する、
請求項１に記載の生体情報収集システム。
【請求項４】
前記入力装置は、
表示部と、
体の部位を示す領域を選択可能な状態で表示し、前記領域が選択された場合、選択された領域に対応する部位について生じ得る症状を示す領域を、選択可能な状態で表示するユーザインタフェース画像を、前記表示部に表示させる表示制御部と、
を有し、
前記ユーザインタフェース画像において選択された領域に対応する部位及び症状を示す情報を、前記健康情報の少なくとも一部として入力する、
請求項１に記載の生体情報収集システム。
【請求項５】
前記入力装置は、
表示部と、
症状を示す領域を選択可能な状態で表示し、前記領域が選択された場合に、選択された領域に対応する症状が生じ得る体の部位を示す領域を、選択可能な状態で表示するユーザインタフェース画像を、前記表示部に表示させる表示制御部と、
を有し、
前記ユーザインタフェース画像において選択された領域に対応する症状及び部位を示す情報を、前記健康情報の少なくとも一部として入力する、
請求項１に記載の生体情報収集システム。
【請求項６】
前記入力装置は、
表示部と、
体の部位を示す領域を選択可能な状態で表示し、前記領域が選択された場合、選択された領域に対応する部位について生じ得る症状を示す領域を、選択可能な状態で表示するユーザインタフェース画像を、前記表示部に表示させる表示制御部と、
を有し、
前記部位を示す領域における選択された位置又は前記部位を示す領域中の所定位置から前記症状を示す領域における選択された位置までの距離に応じて、症状の度合いを決定し、
前記ユーザインタフェース画像において選択された領域に対応する部位及び症状を示す情報と、前記度合いを示す情報とを、前記健康情報の少なくとも一部として入力する、
請求項１に記載の生体情報収集システム。
【請求項７】
前記入力装置は、
表示部と、
体の部位を示す領域を選択可能な状態で表示し、前記領域が選択された場合、選択された領域に対応する部位について生じ得る症状を示す領域を、選択可能な状態で表示する初期ユーザインタフェース画像を、前記表示部に表示させる表示制御部と、
を有し、
前記部位を示す領域における選択された位置又は前記部位を示す領域中の所定位置から前記症状を示す領域において最終的に選択された位置までの距離に応じて、症状の度合いを決定し、
前記初期ユーザインタフェース画像において選択された領域に対応する部位及び症状を示す情報と、前記度合いを示す情報とを、前記健康情報の一種としての初めの健康状態を示す初期情報の少なくとも一部として入力し、
前記表示制御部は、前記初期情報における前記度合いを示す情報を変更可能な状態で表示する経過入力用ユーザインタフェース画像を、前記表示部に表示させ、
前記入力装置は、前記経過入力用ユーザインタフェース画像において変更された前記度合いを示す情報と、前記部位及び症状を示す情報とを、前記初めの健康状態からの経過を示す、前記健康情報の一種としての経過情報の少なくとも一部として入力する、
請求項１に記載の生体情報収集システム。
【請求項８】
前記入力装置は、
表示部と、
症状の原因又は症状の回復の原因であるとユーザが推測する原因を入力するためのユーザインタフェース画像を、前記表示部に表示させる表示制御部と、
を有し、
前記ユーザインタフェース画像において入力された原因を示す情報を、前記健康情報の少なくとも一部として入力する、
請求項１に記載の生体情報収集システム。
【請求項９】
前記入力装置は、
表示部と、
複数の症状についての同時入力を受け付け可能なユーザインタフェース画像を、前記表示部に表示させる表示制御部と、
を有し、
前記複数の症状を示す情報のそれぞれを、個別の前記健康情報の少なくとも一部として入力する、
請求項１に記載の生体情報収集システム。
【請求項１０】
前記記憶部は、前記タグ情報が示す第１時間情報を所定時間遡らせ、前記タグ情報を前記生体情報に関連付けた状態で記憶する、
請求項１に記載の生体情報収集システム。
【請求項１１】
前記健康情報は、症状及び部位を示す情報を含み、
前記生体情報は、前記タグ情報が示す前記健康情報に従って症状及び部位の組合せ毎に記憶される、
請求項１に記載の生体情報収集システム。
【請求項１２】
ある日時の健康状態を示す健康情報と前記ある日時を示す第１時間情報とを入力する入力部と、
前記健康情報と前記第１時間情報とに基づきタグ情報を生成する生成部と、
生体情報を取得し且つ取得した日時を示す第２時間情報に前記生体情報を関連付けて収集する生体情報収集装置から、前記生体情報を受信する受信部と、
前記第２時間情報と前記タグ情報が示す前記第１時間情報とに基づき、前記タグ情報を前記生体情報に関連付けた状態で記憶する記憶部と、
を有する、入力装置。
【請求項１３】
生体情報を取得し、取得した日時を示す第１時間情報に関連付けた状態で記憶する記憶部と、
外部の入力装置から、ある日時の健康状態を示す健康情報と前記ある日時を示す第２時間情報とを含むタグ情報を受信する受信部と、
を有し、
前記記憶部は、前記タグ情報を、前記第１時間情報と前記タグ情報が示す前記第２時間情報とに基づき、前記生体情報に関連付けた状態で記憶する、
生体情報収集装置。
【発明の詳細な説明】
【技術分野】
【０００１】
本発明は、生体情報収集システム、入力装置、及び生体情報収集装置に関し、例えば、健康情報を関連付けた状態で生体情報を記憶する生体情報収集システム、その健康情報の入力装置、及びその生体情報を収集する生体情報収集装置に関する。
【背景技術】
【０００２】
特許文献１には、付与可能なタグの候補をダイナミックに更新するシステムが開示されている。このシステムでは、過去に取得した画像ファイル等の入力に対し、日付等を元に付与可能なタグの候補を表示している。
なお、特許文献２には、フリック文字入力に関する技術が開示されている。
【先行技術文献】
【特許文献】
【０００３】
【特許文献１】特開２０１６−０３３８０５号公報
【特許文献２】特許第５２１０４７１号公報
【発明の概要】
【発明が解決しようとする課題】
【０００４】
しかし、特許文献１に記載のシステムは、リアルタイムにタグの付与を行えないため、健康情報を生体情報に関連付けるシステムに適用した場合でも現在の健康情報と生体情報とを同期させて関連付けることができない、という問題があった。
【０００５】
その他の課題と新規な特徴は、本明細書の記述及び添付図面から明らかになるであろう。
【課題を解決するための手段】
【０００６】
一実施の形態によれば、ある日時の健康状態を示す健康情報と前記ある日時を示す第１時間情報とを入力する入力装置と、生体情報を取得し、取得した日時を示す第２時間情報に関連付けて収集する生体情報収集装置と、を備え、前記健康情報と前記第１時間情報とに基づきタグ情報を生成する生成部を有し、前記第２時間情報と前記タグ情報が示す前記第１時間情報とに基づき、前記タグ情報を前記生体情報に関連付けた状態で記憶する記憶部を有する生体情報収集システムである。
【発明の効果】
【０００７】
前記一実施の形態によれば、リアルタイムに現在の健康情報から生成したタグ情報を、日時を同期させて生体情報に関連付けることができる。
【図面の簡単な説明】
【０００８】
【図１】実施形態１に係る生体情報収集システムの一構成例を示すブロック図である。
【図２】図１の生体情報収集システムにおける処理の一例を説明するためのフロー図である。
【図３】２つの装置間の同期化と同期化した日時を元にデータをマージした様子を概略的に説明する模式図である。
【図４】図１の生体情報収集システムにおける処理の流れを説明するための模式図である。
【図５】タッチパネルにおいて入力を行うときの様子の一例を示す概念図である。
【図６】入力装置におけるタグ情報の生成に関する部位の一構成例を示すブロック図である。
【図７】端末装置とウェアラブルデバイスとの時刻同期の様子を示す概念図である。
【図８】ウェアラブルデバイスとそれによって収集された生体情報の一例を示す図である。
【図９】ウェアラブルデバイスにおいて保存されたデータのイメージを示す図である。
【図１０】タッチ部分と生体部位との対応付けの一例を示す図である。
【図１１】始点と終点の距離について説明するための図である。
【図１２】入力終点座標と症状との対応付けの一例を示す図である。
【図１３】症状改善の入力を促すＧＵＩ画像を含む一連のＧＵＩ画像の一例を示す図である。
【図１４】症状改善の入力を行う一連のＧＵＩ画像の一例を示す図である。
【図１５】症状改善時の程度を入力する一連のＧＵＩ画像の一例を示す図である。
【図１６】症状悪化時の程度を入力する一連のＧＵＩ画像の一例を示す図である。
【図１７】健康情報と関連付けた生体情報の一例を説明するための概念図である。
【図１８】健康情報と関連付けた生体情報の他の例を説明するための概念図である。
【図１９】健康情報毎に生体情報を分類して格納する例を示す図である。
【図２０】図５に示すＧＵＩ画像の他の例を示す図である。
【図２１】図５に示すＧＵＩ画像の他の例を示す図である。
【図２２】実施形態２に係る生体情報収集システムにおける処理の一例を説明するためのフロー図である。
【図２３】症状の原因の入力を行う一連のＧＵＩ画像の一例を示す図である。
【図２４】症状の改善理由の入力を行う一連のＧＵＩ画像の一例を示す図である。
【図２５】タッチパネルにおいて入力を行うときの様子の他の例を示す概念図である。
【図２６】生体情報収集システムにおける装置に含まれるハードウェア構成の一例を示す図である。
【発明を実施するための形態】
【０００９】
以下、図面を参照しつつ、上記課題を解決するための手段を適用した実施形態を詳細に説明する。説明の明確化のため、以下の記載及び図面は、適宜、省略、及び簡略化がなされている。また、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラムなどによって実現される。したがって、これらの機能ブロックがハードウェアのみ、ソフトウェアのみ、又はそれらの組合せによっていろいろな形で実現できることは当業者には理解されるところであり、いずれかに限定されるものではない。なお、各図面において、同一の要素には同一の符号が付されており、必要に応じて重複説明は省略されている。
【００１０】
また、上述したプログラムは、様々なタイプの非一時的なコンピュータ可読媒体を用いて格納され、コンピュータに供給することができる。非一時的なコンピュータ可読媒体は、様々なタイプの実体のある記録媒体を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１１】
以下の実施の形態においては便宜上その必要があるときは、複数のセクション又は実施の形態に分割して説明するが、特に明示した場合を除き、それらはお互いに無関係なものではなく、一方は他方の一部又は全部の変形例、応用例、詳細説明、又は補足説明等の関係にある。また、以下の実施の形態において、要素の数等（個数、数値、量、範囲等を含む）に言及する場合、特に明示した場合及び原理的に明らかに特定の数に限定される場合等を除き、その特定の数に限定されるものではなく、特定の数以上でも以下でもよい。
【００１２】
さらに、以下の実施の形態において、その構成要素（動作ステップ等も含む）は、特に明示した場合及び原理的に明らかに必須であると考えられる場合等を除き、必ずしも必須のものではない。同様に、以下の実施の形態において、構成要素等の形状、又は位置関係等に言及するときは、特に明示した場合及び原理的に明らかにそうでないと考えられる場合等を除き、実質的にその形状等に近似又は類似するもの等を含むものとする。このことは、上記数等（個数、数値、量、範囲等を含む）についても同様である。
【００１３】
＜実施形態１＞
図１は、実施形態１に係る生体情報収集システムの一構成例を示すブロック図である。
図１に示すように、本実施形態に係る生体情報収集システム（以下、本システム）は、健康情報を入力する入力装置（健康情報入力装置）１と、生体情報を収集する生体情報収集装置２と、を備えることができる。
【００１４】
健康情報入力装置１は、ある日時の健康状態を示す健康情報と上記ある日時を示す第１時間情報とを入力する装置である。健康情報は、症状を示す情報のほか、例えば感情や行動を示す情報を含むこともできる。健康情報は、健康状態情報と称することもできる。第１時間情報は、例えば、健康情報入力装置１に具備された時計機能により取得することができる。
【００１５】
健康情報入力装置１は、例えばＰＣ（Personal Computer）、携帯電話機（スマートフォンと称されるものも含む）、タブレット端末等の端末装置において、後述するような入力方法で入力を行うための入力プログラムを搭載することで実現するができる。例えば、端末装置は、後述するような入力手順に従ったＧＵＩ（Graphical User Interface）画像を表示させるような構成を採用しておくことで、健康情報入力装置１の機能を果たすことができる。なお、ここでのＰＣは、タブレット型、デスクトップ型、ノート型のいずれであってもよい。
【００１６】
一方で、生体情報収集装置２は、生体情報を取得し、取得した日時を示す第２時間情報に関連付けて収集する装置である。生体情報は、取得操作等に応じて基本的に定期的に取得される。第２時間情報は、例えば、生体情報収集装置２に具備された時計機能により取得することができる。
【００１７】
そして、本システムは、次の生成部及び記憶部を有する。
上記生成部は、健康情報と第１時間情報とに基づきタグ情報を生成する。タグ情報は、ある日時の健康情報と、その日時を示す時間情報と、が紐付けられた情報であると言える。図１では、この生成部を健康情報入力装置１側に生成部１０ａとして備える例を挙げている。この場合、健康情報入力装置１は、タグ入力装置又はタグ情報入力装置と称することができる。以下、この例に基づき説明するが、生体情報収集装置２又は他の装置（ＰＣ等）が健康情報と第１時間情報とを健康情報入力装置１から取得してタグ情報を生成するように構成することもできる。
【００１８】
上記記憶部は、第２時間情報とタグ情報が示す第１時間情報とに基づき、タグ情報を生体情報に関連付けた状態で記憶する。上記記憶部は、不揮発性メモリ等のメモリとすることができる。このタグ情報を関連付けた生体情報は、例えば、その関連付けを行う関連付け部を有することで生成されることができる。図１では、この記憶部を生体情報収集装置２側に記憶部２２として備える例を挙げている。以下、この例に基づき説明するとともに、上記関連付け部が制御部２０に含まれることを前提として説明する。但し、健康情報入力装置１又は他の装置（ＰＣ等）は、タグ情報を生体情報に関連付けた状態で記憶する記憶部を有するように構成することもでき、またその関連付けも行うように構成することもできる。
【００１９】
図１の構成例に基づき、本システムの健康情報入力装置１及び生体情報収集装置２について説明する。
図１に示すように、健康情報入力装置１は、上述の生成部１０ａ及び後述の通知部１０ｂを有する制御部１０、入力部１１、表示部１２、表示制御部１３、及び通信部１４を備えることができる。また、生体情報収集装置２は、制御部２０、センサ２１、上述の記憶部２２、及び通信部２３を備えることができる。
【００２０】
健康情報入力装置１の制御部１０は、生成部１０ａ及び通知部１０ｂを有するほか、健康情報入力装置１の全体を制御する。入力部１１は、ユーザ操作により健康情報等の各種情報を入力する部位である。入力部１１から入力された健康情報は、健康情報入力装置１の内部の記憶部（図示せず）に記憶しておくことができる。
【００２１】
表示部１２は、液晶パネル、有機エレクトロルネサンスパネル等の表示パネルとすることができる。表示制御部１３は、表示部１２における表示を制御する部位で、制御部１０に備えることもできる。入力部１１は、タッチセンサ等を備えることができ、その場合、入力部１１と表示部１２とでタッチパネル１５を構成することができる。但し、入力部１１は、キーボードやボタン等のハードウェアで構成することもできる。
【００２２】
通信部１４は、通信部２３と通信を行う通信アダプタ等で構成することができ、通信部２３との通信が可能であればその通信方式は問わない。但し、利便性の観点から、通信部１４は、Ｂｌｕｅｔｏｏｔｈ（登録商標）規格等の近距離無線通信規格に基づく通信を行う無線通信部とすることが好ましい。通信部２３についても同様であり、通信部１４との通信を行う通信アダプタ等で構成することができ、通信部１４との通信が可能であればその通信方式は問わない。以下、通信部１４と通信部２３とがＢｌｕｅｔｏｏｔｈ（登録商標）規格に基づく近距離無線通信を行う例を挙げて説明する。
【００２３】
生体情報収集装置２の制御部２０は、生体情報収集装置２の全体を制御する。センサ２１は、生体情報を取得するための生体情報取得部の一例であり、取得する生体情報の種類に応じて複数種類設けられる。生体情報は、生体センシング情報と称することもできる。センサ２１は、制御部２０によりセンシングのタイミングを制御することができるが、定期的に取得した情報を制御部２０に渡すようにしておくこともできる。
【００２４】
以上、本システムによれば、過去の健康情報を入力するのではなく現在の症状等の健康情報を入力でき、且つ日時を同期させて健康情報と生体情報を関連付けることができる。よって、本システムによれば、リアルタイムに現在の健康情報から生成したタグ情報を、日時を同期させて生体情報に関連付けることができる。さらに、本システムによれば、ユーザが入力すべき情報を覚えていないといった事態を避けることもでき、その症状等の正確な日時も記憶することができる。
【００２５】
また、本システムは、例えば疾病モデルを作成するに当たって必要な情報を収集することができる。本システムでは、上記必要な情報として、各種生体情報を連続して収集するとともにその時々の健康情報を収集してそれらを関連付けて記憶することができる。ここで、疾病モデル等の作成に際しては、健康情報が生体情報のどの日時に対応するか（例えば、後述の図３に示すようなタグ情報有効期間）を知ることが非常に重要になる。そのため、生体情報収集装置２と健康情報入力装置１の双方で収集又は入力された情報を同期して関連付ける必要があるが、本システムでは、上述のような構成により、このような同期をとった関連付けが可能となる。特に、生体情報は時間軸に沿って連続的に取得することができ且つ健康情報は時間軸で離散的に入力することができる。そして、本システムによれば、生体情報と健康情報の有効期間の情報とを同期させて関連付けることで、時間軸に沿って連続に続く生体情報と時間軸で離散的に入力する健康情報との経時的な関連付けを容易に行うことができる。また、本システムによれば、生体情報と健康情報とを正確に抽出できるデータベースを作成することができる。
【００２６】
本システムは、このような構成において次のような様々な構成を採用することができる。
健康情報入力装置１は、健康情報の一種として、経過の健康状態を示す経過情報が入力可能に構成されていることが好ましい。例えば、健康情報入力装置１は、経過情報を入力するためのＧＵＩ画像を表示できるように構成しておくことができる。経過情報は、それ以前に入力された経過情報（最初に入力される情報である初期情報である場合も含む）に対する経過を示す情報であると言える。なお、この例及び後述のＧＵＩ画像の代わりにキャラクタユーザインタフェース等の他種のユーザインタフェースを採用することもできる。
【００２７】
通知部１０ｂは、既に入力された健康情報に基づき経過情報の入力を促す通知を行う。通知部１０ｂは、このような通知を例えばＧＵＩ画像のポップアップ表示等の表示により行うように構成することができるが、音声又は振動による通知を行うように構成することもできる。通知の頻度については、一日毎、半日毎、食事の時間毎など、予め定めておけばよい。健康情報入力装置１は、通知部１０ｂを備えない構成を採用することもできるが、通知部１０ｂを備えることにより、ユーザに多くの健康情報を入力させることができる。
【００２８】
健康情報入力装置１の入力部１１は、上述した初期情報を健康情報の一種として入力可能に構成しておくことができる。初期情報とは、ある症状又は体のある部位についての初めの健康状態を示す情報を指す。症状は、例えば「痛い」、「痒い」等で表現することができるが、その他、例えば「うれしい」、「悲しい」等の感情であってもよい。ここで、入力部１１は、「うれしい」を例えば「何の問題もない」ことを示す情報等として、「悲しい」を例えば「痛みがある」ことを示す情報等として、それぞれ入力することができる。また、入力部１１は、上述したように経過情報を健康情報の一種として入力可能に構成しておくことができる。経過情報は、初めの健康状態からの経過を示す情報であると言えるが、経過情報が複数存在する場合には一つ前の経過情報が示す健康状態からの経過を示す情報であるとも言える。
【００２９】
健康情報入力装置１は、上述のように健康情報についての第１時間情報が入力可能に構成されており、以下では、初期情報についての第１時間情報を初期時間情報と称し、経過情報についての第１時間情報を経過時間情報と称する。
【００３０】
そして、生成部１０ａは、初期情報についてのタグ情報を、初期情報と初期時間情報と経過時間情報（初期情報の次にその症状について入力された経過情報に関する経過時間情報）とに基づき生成することが好ましい。これにより、記憶部２２は、ある症状を示すタグ情報を、初期時間情報が示す日時から経過時間情報が示す日時までの生体情報に関連付けた状態で記憶することができる。
【００３１】
また、初期情報又は経過情報の後に、同じ症状についての経過情報が入力されない場合などには、例えば１時間など、予め定められた期間を区切って健康情報の有効期間とする（つまり健康情報の末日時とする）こともできる。
【００３２】
また、表示制御部１３は、次のようなＧＵＩ画像を表示部１２に表示させるように構成することができる。即ち、このＧＵＩ画像は、体の部位を示す領域（以下、部位領域）を選択可能な状態で表示し、部位領域が選択された場合、選択された部位領域に対応する部位について生じ得る症状を示す領域（以下、症状領域）を、選択可能な状態で表示するＧＵＩ画像である。ここで、部位領域は部位毎に選択可能に表示されており、症状領域も症状毎に選択可能に表示されていることになる。
【００３３】
部位領域は、例えば、部位名を示す領域とすることができるが、体の模式図中の部位を示す領域とすることが好ましい。なお、模式図は、イラストレーション、絵などと称することもできる。体の模式図を表示してその部位を選択させることで、ユーザにとって視覚的に分かり易くし、部位の選択を容易にすることができる。症状領域は、症状名を示す領域とすることができるが、症状を表現した模式図の領域とすることもできる。
【００３４】
この場合、入力部１１は、上記ＧＵＩ画像において選択された部位領域及び症状領域に対応する部位及び症状を示す情報を、健康情報の少なくとも一部として（つまり健康情報の一部又は全部として）入力する。
【００３５】
また、症状と部位とは逆の順序で入力することもできる。つまり、表示制御部１３は、症状領域を選択可能な状態で表示し、症状領域が選択された場合に、選択された症状領域に対応する症状が生じ得る体の部位を示す部位領域を、選択可能な状態で表示するＧＵＩ画像を、表示部１２に表示させることもできる。
【００３６】
また、表示制御部１３は、次のようなＧＵＩ画像を表示部１２に表示させるように構成することもできる。即ち、このＧＵＩ画像は、部位領域を選択可能な状態で表示し、部位領域が選択された場合、選択された部位領域に対応する部位について生じ得る症状を示す症状領域を選択可能な状態で表示するＧＵＩ画像である。
【００３７】
その場合、入力部１１は、部位領域における選択された位置又は部位領域中の所定位置から症状領域における選択された位置までの距離に応じて、症状の度合い（症状の程度）を決定する。例えば、タッチパネル１５を用いた操作の場合、ユーザがスライド操作を行って指を離した位置を、症状領域における選択された位置とすることができる。
【００３８】
そして、入力部１１は、このＧＵＩ画像において選択された部位領域及び症状領域に対応する部位及び症状を示す情報と、上記度合いを示す情報とを、健康情報の少なくとも一部として入力する。例えば、タッチパネル１５を用いた操作の場合、ユーザがスライド操作を行った距離に対応した度合いを示す情報が入力されることになる。
【００３９】
このような入力方法は、初期情報を入力するために利用することができるが、経過情報を入力するために利用することもでき、例えば、入力された部位及び症状が同じ初期情報があれば今回入力された情報を経過情報として取り扱うことができる。
【００４０】
また、経過情報の入力は、次のようにして行うこともできる。
まず、表示制御部１３は、次のような初期ＧＵＩ画像を表示部１２に表示させるように構成することもできる。即ち、この初期ＧＵＩ画像は、部位領域を選択可能な状態で表示し、部位領域が選択された場合、選択された部位領域に対応する部位について生じ得る症状を示す症状領域を、選択可能な状態で表示するＧＵＩ画像である。
【００４１】
そして、入力部１１は、部位領域における選択された位置又は部位領域中の所定位置（例えば中心位置等）から症状領域において最終的に選択された位置（選択終了位置）までの距離に応じて、症状の度合いを決定する。タッチパネル１５を用いた操作の場合、ユーザがスライド操作を行って指を離した位置を上記選択終了位置とすることができる。
【００４２】
入力部１１は、初期ＧＵＩ画像において選択された部位領域及び症状領域に対応する部位及び症状を示す情報と、度合いを示す情報とを、初期情報の少なくとも一部として入力する。
【００４３】
さらに、表示制御部１３は、初期情報における度合いを示す情報を変更（距離を変更等）可能な状態で表示する経過入力用ＧＵＩ画像を、表示部１２に表示させるように構成することができる。つまり、この経過入力用ＧＵＩ画像は、症状の度合いを示す情報を変更（更新）するための操作を受け付けることができる。そして、入力部１１は、経過入力用ＧＵＩ画像において変更された度合いを示す情報と、部位及び症状を示す情報とを、経過情報の少なくとも一部として入力する。
【００４４】
このような変更操作は、例えば、初期情報入力時のスライド操作の終点から始点方向に戻すようなスライド操作、又は途中から始点へと戻すスライド操作とすることができる。このようなスライド操作を受け付け、始点までの残りの量に応じて、又はスライド量に応じて、症状の度合いを決定して更新することができる。なお、初期ＧＵＩ画像に対するスライド操作により症状の度合いが決定された健康情報でなくても、度合いを示す情報が経過入力用ＧＵＩ画像に表示できればよい。
【００４５】
上述したような様々なＧＵＩ画像を用いた健康情報の入力方法のいずれかを採用することで、健康情報を文字情報として一文字毎に入力する場合に比べて手間を低減させることができる。例えば、特許文献２に記載されたようなフリック文字入力を採用した場合には、文字を逐一選択するために、入力に手間がかかることになる。より具体的には、健康情報として「頭が痛い」という情報を入力する場合には、「あたまがいたい」や「あたまがとてもいたい」などと７回や１０回のフリック文字入力が必要となり、入力が煩わしくなる。さらに、このようなフリック文字入力を使用する場合、自由な文章を入力させることになるため、同一症状であっても、例えば「頭が痛い」、「頭痛」などと一意に入力できないといった問題も生じ得る。さらに、このようなフリック文字入力を使用する場合、通常の文字入力と同様に、言語依存があるだけでなく、症状の量的な表現も難しくなる。これに対し、上述のようなＧＵＩ画像を用いた入力方法によれば、これらの問題を解決することができる。なお、言語依存については、ＧＵＩ画像において模式図を用いることで解決することができる。
【００４６】
また、健康情報は、上述のように部位及び症状を示す情報を含むことができる。そして、生体情報は、タグ情報が示す健康情報に従って部位及び症状の組合せ毎に記憶（格納）されることが、後に行われる解析（そのユーザについての症状と生体情報との関係の解析）のために好ましい。無論、この場合、異なる組合せについてのタグ情報に、同じ時間帯の生体情報が関連付けられることもある。また、生体情報は、症状及び部位の組合せ毎の、個別データベースとして格納されることができ、例えば、症状及び部位の組合せ毎に分類した生体情報データベースを作成することができる。
【００４７】
次に、図２〜図６を併せて参照しながら、このような本システムにおける具体的な処理の例を概略的に説明する。
まず、本システムにおける時刻同期（日時同期）に関して、図２及び図３を参照して説明する。図２は、本システムにおける処理の一例を説明するためのフロー図、図３は、２つの装置間の同期化と同期化した日時を元にデータをマージした様子を概略的に説明する模式図である。
【００４８】
本システムは、健康情報入力装置１（以下、入力装置１）と生体情報収集装置２（以下、収集装置２）との少なくとも２つの装置間で時刻同期（日時の同期）を行う。そのために、本システムでは、入力装置１から収集装置２に対してある日時の健康情報（経過情報であってもよい）をタグ情報として出力し、それらのタグ情報を生体情報に関連付ける。
【００４９】
具体的な関連付けの流れは、図２に示すように、まず、２つの装置間（通信部１４と通信部２３との間）でペアリングを行い（ステップＳ１）、その後、入力装置１が日時情報を収集装置２側に送信する（ステップＳ２）。これにより、入力装置１と収集装置２との時計機能における日時を合わせることができる。
【００５０】
ステップＳ２の後、入力装置１は、ユーザからの健康情報の入力を受け付け、１又は複数のタグ情報（ここではタグ情報Ｔａ１，Ｔａ２，Ｔｂ１等）を生成する。なお、以下では便宜上、タグ情報Ｔａ１の第１時間情報（入力日時の情報）を同じく「Ｔａ１」として表現するなど、タグ情報の名称と日時とを同じ記号で表現する。一方で、収集装置２では、ユーザの測定開始操作などにより、生体情報の取得（測定）を開始する。収集装置２は、生体情報の計測をステップＳ２で同期された日時で連続的に（例えば一定間隔で）行い、生体情報を第２時間情報と関連付けて収集する。なお、生体情報の計測の間隔は、センサ２１の種類によって異ならせておくことができる。
【００５１】
そして、例えばユーザ操作により、入力装置１は、収集装置２とペアリングを行い（ステップＳ３）、健康情報から生成されたタグ情報を収集装置２に送信する（ステップＳ４）。なお、タグ情報の送信前は、入力装置１と収集装置２とは接続しておかなくてもよい。収集装置２は、ステップＳ４で送信されたタグ情報を受信し、生体情報にタグ情報を関連付けることで、生体情報と健康情報とをマージする。
【００５２】
その結果、例えば、健康情報が頭痛（部位が頭で、症状が痛み）を示しているタグ情報については、そのタグ情報が示す期間（有効期間）の生体情報と関連付けてデータベース３０に格納される。この期間については後述する。この例では、頭痛に関して有効期間Ｔａ１〜Ｔａ２のタグ情報と有効期間Ｔａ３〜Ｔａ４のタグ情報が存在し、それぞれのタグ情報は、それぞれの有効期間の生体情報と関連付けられている。同様に、健康情報が腹痛を示しているタグ情報については、そのタグ情報が示す期間の生体情報と関連付けてデータベース３０に格納される。腹痛に関して有効期間Ｔｂ１〜Ｔｂ２のタグ情報と有効期間Ｔｂ３〜Ｔｂ４のタグ情報が存在し、それぞれのタグ情報は、それぞれの有効期間の生体情報と関連付けられている。また、図２に示すように、生体情報は、健康情報毎にまとめて個々のデータベースとして格納することもできる。
【００５３】
タグ情報が示す期間について図３を参照して説明する。図３で例示するように、日時Ｔ１で入力された健康情報（初期情報）に基づきタグ情報が生成され、日時Ｔ２で同じ内容を示す経過情報が入力され、日時Ｔ３でその内容が取り消された場合（その症状がなくなったことが入力された場合）について説明する。なお、日時Ｔ２ではタッチパネル１５に「継続？」のメッセージが表示されており、この領域を選択すると同じ内容のまま経過情報が入力される。また、この場合や症状がなくなった場合の入力方法の例については、図１３及び図１４を参照しながら後述する。
【００５４】
入力装置１は、上述したように、初期情報として過去に入力した症状と程度を記憶しておき、その後に症状の経過を問い合わせ、タッチパネル１５への入力より、症状が変化したことを経過情報として記憶するように構成することができる。例えば、このような構成により、図３で例示したような入力を行うことができる。
【００５５】
この場合、初期情報から経過情報を参照して生成されたタグ情報の有効期間はＴ１〜Ｔ３とすることができ、そのタグ情報はその期間に取得された生体情報と関連付けて記憶されることになる。このように症状の経過を問い合わせ、その問い合わせに対する入力により症状の経過を入力させることができる。
【００５６】
また、ステップＳ４におけるタグ情報の送信のタイミングは問わない。経過情報が入力される前に初期情報を送信することになった場合には、記憶部２２は、タグ情報を初期情報が示す日時以降の生体情報に関連付けた状態で記憶しておくことができる。また、上述したように、例えば１時間後など、予め定められた期間を区切って健康情報の有効期間とし、記憶部２２は、タグ情報を初期情報が示す日時から１時間の生体情報に関連付けた状態で記憶しておくこともできる。
【００５７】
いずれの場合でも、その初期情報に対応する経過情報が送信された場合には、その初期情報が示す日時以降で且つその経過情報が示す日時より前の生体情報に、タグ情報を関連付けた状態で記憶するように、情報の更新を行うとよい。
【００５８】
図４を参照しながら、入力装置１における健康情報の入力からタグ情報と生体情報との関連付けへと繋がる処理の流れの一例について概略的に説明する。図４は、本システムにおける処理の流れを説明するための模式図である。図４では、入力装置１の例として端末装置１ａを挙げ、収集装置２の例としてウェアラブルデバイス２ａを挙げている。
【００５９】
本システムでは、図４に示すように、端末装置１ａとウェアラブルデバイス２ａが互いに日時を同期することもできる（ステップＳ１１）。この点については図２のステップＳ２等で説明した通りである。また、本システムでは、端末装置１ａとウェアラブルデバイス２ａが互いに情報を伝送するように構成することができ（ステップＳ１２，Ｓ１５）、いずれもタグ情報と生体情報とのマージ処理が可能なように構成することもできる（ステップＳ１３，Ｓ１６）。
【００６０】
よって、ステップＳ１１の同期処理の後、端末装置１ａがウェアラブルデバイス２ａに、日時を含むタグ情報３１を送信し（ステップＳ１２）、ウェアラブルデバイス２ａが日時を元にタグ情報３１と内部の生体情報をマージすることができる（ステップＳ１３）。ウェアラブルデバイス２ａは、マージした結果の情報である日時に関連付けられたタグ情報及び生体情報３３を、他の装置（例えば、ＰＣやクラウド上のサーバ装置）に伝送する（ステップＳ１４）ように構成することもできる。なお、このＰＣは、タブレット型、デスクトップ型、ノート型のいずれであってもよく、端末装置１ａと同様の携帯電話機（スマートフォンと称されるものも含む）であってもよい。ウェアラブルデバイス２ａは、このタグ情報及び生体情報３３を、他の装置に伝送するだけでなく、内部の記憶部２２に記憶しておくこともできる。
【００６１】
また、ステップＳ１１の同期処理の後、ウェアラブルデバイス２ａが端末装置１ａに、日時に関連付けられた生体情報３２を送信し（ステップＳ１５）、端末装置１ａが日時を元にその生体情報３２と内部のタグ情報をマージすることができる（ステップＳ１６）。端末装置１ａは、マージした結果の情報である日時に関連付けられたタグ情報及び生体情報３３を、他の装置（例えば、クラウド上のサーバ装置）に伝送する（ステップＳ１７）ように構成することもできる。端末装置１ａは、このタグ情報及び生体情報３３を、クラウドに伝送するだけでなく、内部の記憶部に記憶しておくこともできる。
【００６２】
図４の例から分かるように、入力装置１は、入力部１１及び生成部１０ａとともに、次の受信部及び記憶部を有することができる。この受信部は、通信部１４で例示したものであり、生体情報を取得し且つ取得した日時を示す第２時間情報に生体情報を関連付けて収集する収集装置２から、その生体情報を受信する。上記記憶部は、第２時間情報とタグ情報が示す第１時間情報とに基づき、タグ情報を生体情報に関連付けた状態で記憶する。
【００６３】
また、図４の例から分かるように、収集装置２は、記憶部２２及び次の受信部を有することができる。この受信部は、通信部２３で例示したものであり、外部の入力装置１から、ある日時の健康状態を示す健康情報と上記ある日時を示す第１時間情報とを含むタグ情報を受信する。
【００６４】
次に、図５及び図６を参照しながら、端末装置１ａにおける入力例及びタグ情報の生成例について説明する。図５は、端末装置１ａのタッチパネル（タッチパネル１５）において入力を行うときの様子の一例を示す概念図、図６は、端末装置１ａにおけるタグ情報の生成に関する部位の一構成例を示すブロック図である。
【００６５】
端末装置１ａは、図５に例示するようにタッチパネル１５に体の模式図と症状名と含むようなＧＵＩ画像１５ａを表示させることができる。症状名は模式図の一部が選択された時点で、選択された部位領域に対応する症状名を表示させることが好ましい。なお、図示しないが、体の模式図は、部位間の境界線を図示することもできる。
【００６６】
図６に示すように、端末装置１ａは、日時情報（時刻座標）４１が読み出し可能になっているとともに、上記生成部１０ａの主たる部分に相当し、タグ情報を生成するタグ情報生成部４０を備えることができる。また、端末装置１ａは、入力方向と回数とを計算する計算部４２、方向を症状に変換する変換テーブル４４、回数を強度に変換する変換テーブル４５、及び起点座標を生体部分（体の部位）に変換する変換テーブル４６を備えることができる。
【００６７】
タグ情報生成部４０は、計算部４２から出力された入力日時、タッチパネル１５で接触（タッチ）の起点となった（タッチを最初に検知した）起点座標、タッチ後のスライド操作された方向、及び一定時間内にスライド操作された回数を入力する。なお、入力日時は、入力時刻だけとすることもできる。
【００６８】
タグ情報生成部４０は、方向に基づき変換テーブル４４を参照してその方向が示す症状を示す情報を取得する。タグ情報生成部４０は、回数に基づき変換テーブル４５を参照してその回数が示す、症状の強度（程度、度合い）を示す情報を取得し、起点座標に基づき変換テーブル４６を参照して生体部分（体の部位）を示す情報を取得する。タグ情報生成部４０は、このようにして取得した各種情報（入力日時を含む）に基づき、タグ情報４７を生成する。端末装置１ａは、変換テーブル４５の代わりに、長さから強度に変換する変換テーブルを有し、起点座標（始点座標）から終点座標までの長さを計算し、その長さからその変換テーブルを参照して症状の強度を取得することもできる。
【００６９】
このような構成により、端末装置１ａは、タッチパネル１５において最初にタッチがなされた始点座標から部位を、終点座標から症状を、接触した日時から症状確定日時を、始点座標と終点座標の長さから症状の度合い（程度）を、それぞれ判定する。端末装置１ａは、このように判定して得た情報をタグ情報４７として、図示しない内部の記憶部に記憶する。このような判定を行うことで、少ない操作で症状を一意にリアルタイムに入力することができる。
【００７０】
なお、図６に示す端末装置１ａは、例えば、そのＣＰＵ等の制御部を計算部４２及びタグ情報生成部４０として機能させるためのプログラムを有することができ、そのプログラムには変換テーブル４４〜４６も含めることができる。情報４１，４３はこの制御部内のバッファメモリ上に読み出された情報とすることができ、タグ情報４７は端末装置１ａ内の記憶部に記憶された情報とすることができる。
【００７１】
次に、図７〜図２１を併せて参照しながら、本システムのより具体的な処理例について説明する。
【００７２】
まず、図７〜図１２を参照して、健康情報の入力例について説明する。図７は、端末装置１ａとウェアラブルデバイス２ａとの時刻同期の様子を示す概念図、図８は、ウェアラブルデバイス２ａとそれによって収集された生体情報の一例を示す図、図９は、ウェアラブルデバイス２ａにおいて保存されたデータのイメージを示す図である。図１０は、タッチ部分と生体部位との対応付けの一例を示す図、図１１は、始点と終点の距離について説明するための図、図１２は、入力終点座標と症状との対応付けの一例を示す図である。
【００７３】
端末装置１ａとウェアラブルデバイス２ａの電源を入れ、初期設定を行った後、図７に示すように、無線通信技術又は有線通信技術を用いて、ウェアラブルデバイス２ａと端末装置１ａとの間で日時同期（時刻同期）を行う。このような時刻同期を行うことで、２つの機器間で同期した時刻を元に、生体情報と健康情報をマージすることができるようになる。なお、図７において、端末装置１ａとウェアラブルデバイス２ａとの時刻同期の様子を示すが、端末装置１ａにおけるタグ情報生成部４０とウェアラブルデバイス２ａにおける生体情報の収集を行う部位とで時刻が同期されていればよい。
【００７４】
その後、図８に示すように、腕にウェアラブルデバイス２ａを装着し、ウェアラブルデバイス２ａに備わった測定開始ボタン２４を押すことで、初期設定で決めたサンプリングレートに基づいて生体情報３０ａの収集を開始する。生体情報３０ａは、例えば、ＭＥＭＳ（Micro Electro Mechanical Systems）などのセンサを使った加速度の測定や、光センサを使った容積脈波の測定などにより収集することができる。図９に示すように、収集された生体情報３０ａは日時情報３１ｂとセンサデータ（センサによる測定値）３０ｃを一つの組として保持する。
【００７５】
このようにして測定を開始した後、ユーザが頭痛を感じたときに、端末装置１ａにおいて予め起動していた又はそのときに起動した健康情報入力用のプログラム（アプリケーション）を使い、健康情報（この場合、初期情報）を入力する。具体的には、ユーザは、図５に示すようなタッチパネル１５に表示させたＧＵＩ画像１５ａ中の模式図における頭の部分を指でタップして、痛いと表示された方向に指をスライドさせる。
【００７６】
ユーザは、症状の程度が大きければスライド量を大きく、小さければスライド量を小さく、指をスライドさせることにより症状の程度を入力することができる。端末装置１ａは、図１０に示すように、最初に押えたタッチパネル１５上の座標（Ｘ１，Ｙ１）から、図６の起点座標から生体部分を変換する変換テーブル４６を参照し、対象が頭部であると変換する。この変換テーブル４６は、例えば、図１０に示すタッチパネル１５上の座標において、Ｘｈｍｉｎ＜Ｘ１＜Ｘｈｍａｘ且つＹｈｍｉｎ＜Ｙ１＜Ｙｈｍａｘの場合、「頭部」に変換し、Ｘｒａｍｉｎ＜Ｘ１＜Ｘｒａｍａｘ且つＹｒａｍｉｎ＜Ｙ１＜Ｙｒａｍａｘの場合、「右手指先」に変換するなど、各部位を座標で示す変換テーブルとすることができる。この変換テーブルのように、座標の処理時には、座標（Ｘ１，Ｙ１）は、例えば図１０に示す、ある範囲をもって認識する機能を有するものとする。
【００７７】
また、図１１に示すように、ユーザが指を離した座標を（Ｘ２，Ｙ２）とすると、端末装置１ａは、指を離した座標（Ｘ２，Ｙ２）から、図６の方向から症状に変換する変換テーブル４４を参照し、症状が「痛い」であると変換する。この変換テーブル４４は、例えば、図１２に示すタッチパネル１５上の座標において、Ｘｈ０＜Ｘ２、且つ、Ｙ２≦（Ｙ−Ｙｈ０）／（Ｘｈ１−Ｘｈ０）×Ｘｈ１＋（Ｙｈ０×Ｘｈ１−Ｘｈ０×Ｙ）／（Ｘｈ１−Ｘｈ０）の場合、「痛い」に変換するなどの変換テーブルとすることができる。この変換テーブルのように、座標の処理時には、座標（Ｘ２，Ｙ２）は、図１２に示す、ある範囲をもって認識する機能を有するものとする。さらに、範囲は必要数（適用する症状の数）に応じて画面を分割して割り当てておくことで、ユーザが選択できるようになる。なお、どの症状をどこに割り当てるか、或いは、分割の割合などは、ユーザ操作等により設定可能であることが望ましい。
【００７８】
また、端末装置１ａは、図１１に示す起点と終点により長さ、つまり（（Ｘ２−Ｘ１）２＋（Ｙ２−Ｙ１）２）の平方根を求め、その長さを症状の程度に変換する。
【００７９】
端末装置１ａは、このような一連の動作により、初めにタップした日時と入力した部位の症状及び程度とを１つの組としたデータとして、タグ情報を保持することができる。ここでは、一例として始点と終点の間の長さで症状の程度を変換したが、長さは指を抑えてから離すまでの軌跡で求めてもよい。また、症状の程度は長さを変換することに限ったものではなく、図６を参照して説明したように一定時間に入力した回数を症状の程度に変換してもよいし、指による圧力（押圧）を症状の程度に変換してもよい。このように、タッチ操作の起点、終点、軌跡、押圧などを利用してユーザに健康情報を入力させることで、タグ情報を生成するための健康情報を、少ない操作で一意に且つリアルタイムに入力することができる。
【００８０】
次に、図１３〜図１９を参照して、経過情報の入力例について説明する。図１３は、症状改善（症状終了）の入力を促すＧＵＩ画像を含む一連のＧＵＩ画像の一例を示す図である。図１４は、症状改善の入力を行う一連のＧＵＩ画像の一例を示す図である。図１５は、症状改善時の程度を入力する一連のＧＵＩ画像の一例を示す図で、図１６は、症状悪化時の程度を入力する一連のＧＵＩ画像の一例を示す図である。また、図１７は、健康情報と関連付けた生体情報の一例を説明するための概念図、図１８は、健康情報と関連付けた生体情報の他の例を説明するための概念図である。また、図１９は、健康情報毎に生体情報を分類して格納する例を示す図である。
【００８１】
図１０〜図１２を参照して説明したような健康情報（初期情報）を入力した後、端末装置１ａは、図１３に示すように問い合わせメッセージを含むＧＵＩ画像１５ｂを、タッチパネル１５に表示させる。ＧＵＩ画像１５ｂは、予め定められた期間の経過後、ポップアップ画像として表示させることが好ましい。この例では、頭痛を示す健康情報が入力された後の例であり、メッセージとして「頭痛が治っていれば点線をなぞってください」などと表示されている。ユーザは、この問い合わせに従い、症状入力の終点より始点へ向かってなぞる操作（スライド操作）を行うことで、端末装置１ａに症状の完了を入力することができる。端末装置１ａは、このような完了（完治）入力がなされた場合、初期情報を入力するためのＧＵＩ画像１５ｃをタッチパネル１５に表示させる。なお、ＧＵＩ画像１５ｂにおいて、図３の例と同様に、「継続？」のメッセージを含めることもでき、そのメッセージの領域が選択された場合には１つ前の健康情報と同じ内容の健康情報（経過情報）が入力される。
【００８２】
図１３のＧＵＩ画像１５ｂでは、問い合わせメッセージを含む例を挙げたが、問い合わせ方法はこれに限ったものではない。例えば、図１４に示すＧＵＩ画像１５ｄのように過去に入力された情報（部位、症状、及び度合いを示す情報）を点線で表示し、症状を模式図で表示することもできる。或いは、図１５に示すＧＵＩ画像１５ｅのように単に入力された情報を点線で表示するなど、他の方法で入力を促すこともできる。
【００８３】
図１３及び図１４では、症状が完了（完治）した場合の入力例を挙げている。但し、図１５のＧＵＩ画像１５ｅに対するスライド操作で示すように、以前の入力情報を点線で表示しておき、点線を部位の方向になぞることで症状の程度の改善を入力することもできる。端末装置１ａは、このようなスライド操作により入力された経過情報に従って、点線が短くなったＧＵＩ画像１５ｆを表示させる。
【００８４】
或いは、図１６のＧＵＩ画像１５ｅに対するスライド操作で示すように、延長する方向になぞることで症状の悪化を入力することもできる。端末装置１ａは、このようなスライド操作により入力された経過情報に従って、点線が長くなったＧＵＩ画像１５ｆを表示させる。なお、図１５及び図１６の例では、過去に入力した終点からなぞり始めることを前提としているが、途中の点線部分から症状の経過情報の入力を開始できるように構成しておくこともできる。
【００８５】
このように経過情報が入力された後、図８に示すウェアラブルデバイス２ａの測定開始ボタン２４と同様のタグ情報転送ボタン（図示せず）を押す。なお、測定開始ボタン２４を例えば長押しすることで、タグ情報転送ボタンが押下されたと判定することもできる。タグ情報転送ボタンが押下されると、ウェアラブルデバイス２ａが無線通信技術を用いて端末装置１ａに伝送要求を送り、図４に示すように端末装置１ａがウェアラブルデバイス２ａへタグ情報３１を伝送する。図１７に示すように、ウェアラブルデバイス２ａは、日時を元に、日時に紐付けられたタグ情報３１ｄを自身のもつ日時に紐づいた生体情報にマージしたデータ３０ｄを作成し、内部の不揮発性メモリ（収集装置２における記憶部２２に対応）に記憶する。図１７に示すタグ情報３１ｄは、頭が痛い（頭痛）が期間Ｔ１〜Ｔ３まで続いたことを示している。この場合、図１７に示すデータ３０ｄは、頭痛を示すタグ情報（有効期間Ｔ１〜Ｔ３）がその有効期間Ｔ１〜Ｔ３の脈拍、体温、及び心電図に関連付けられたデータとなる。
【００８６】
また、図１８に示すように、端末装置１ａは、複数の症状についての健康情報を時系列に沿って入力し、症状及び部位の組合せ毎のタグ情報３１ｅを生成することもできる。その場合、図１８に示すように、ウェアラブルデバイス２ａは、症状及び部位の組合せ毎のタグ情報３１ｅを生体情報にマージしてデータ３０ｅを作成し、内部の不揮発性メモリに記憶する。図１８に示すタグ情報３１ｅは、頭が痛い（頭痛）が期間Ｔ１〜Ｔ３まで続き、腹が痛い（腹痛）が期間Ｔ２〜Ｔ４まで続いたことを示している。この場合、データ３０ｅは、頭痛を示すタグ情報（有効期間Ｔ１〜Ｔ３）、腹痛を示すタグ情報（有効期間Ｔ２〜Ｔ４）がそれぞれの有効期間における脈拍、体温、及び心電図に関連付けられたデータとなる。
【００８７】
その後、ウェアラブルデバイス２ａは、ＰＣやサーバ装置等の他の装置と無線通信技術又は有線通信技術を用いて接続し、健康情報と生体情報をマージした情報として上記他の装置上に保存することができる。また、図１９に示すように、タグ情報が関連付けられたデータベース３０は、健康情報毎（症状及び部位の組合せ毎）に生体情報を分類した状態で上記他の装置上に保存することもできる。
【００８８】
次に、図２０及び図２１を参照しながら、ＧＵＩ画像の他の例について説明する。図２０及び図２１は、図５に示すＧＵＩ画像の他の例を示す図である。図２０に示すように、端末装置１ａは、タッチパネル１５に症状の度合いの目安を示すような色分けをしたＧＵＩ画像１５ｈを表示させることもできる。これにより、症状の度合いの段階を規定できるとともに、ユーザがその規定された段階に従って該当する度合いを入力できるため、ユーザの意図に合った度合いを容易に入力することができる。
【００８９】
以上の例では、基本的に症状名として「痛い」等の日本語を使用しているが、図２１に示すように、端末装置１ａは、健康情報の入力のために、言語に依存しない模式図で症状名を表現したＧＵＩ画像１５ｉを、タッチパネル１５に表示させることができる。
【００９０】
＜実施形態２＞
実施形態２に係る生体情報収集システムについて、図２２を併せて参照しながら説明する。図２２は、本実施形態に係る生体情報収集システムにおける処理の一例を説明するためのフロー図である。なお、本実施形態について、主に実施形態１との相違点を中心に説明する。
【００９１】
本実施形態に係る収集装置２の記憶部２２は、タグ情報が示す第１時間情報を所定時間遡らせ（所定時間戻して）、そのタグ情報を生体情報に関連付けた状態で記憶する。つまり、本実施形態に係る収集装置２は、タグ情報が示す第１時間情報を所定時間戻した（遡らせた）状態で、生体情報に関連付ける。
【００９２】
図２２に示すように、本実施形態に係る生体情報システムにおいても、図２の処理と同様にステップＳ１〜Ｓ４を実行することができる。但し、図２の処理では、健康情報を入力した時間を起点としているのに対し、本実施形態では、より正確に健康状態を特定するために次のような健康状態の継続時間（タグ情報の有効期間）を採用している。即ち、本実施形態におけるタグ情報の有効期間は、症状発生から入力までの一定時間ｄＴだけ遡った日時から症状停止までの日時（又は症状停止までの一定時間ｄＴだけ遡った日時）までとしている。
【００９３】
そのため、タグ情報が関連付けられた生体情報のデータベース３０ｆも、例えば、健康情報が頭痛を示しているタグ情報について、有効期間Ｔａ１−ｄＴ〜Ｔａ２のタグ情報と有効期間Ｔａ３−ｄＴ〜Ｔａ４のタグ情報が存在する。そして、それぞれのタグ情報は、それぞれの有効期間の生体情報と関連付けられている。初期時間情報（Ｔａ１）及び経過時間情報（Ｔａ２）で有効期間が定まる頭痛のタグ情報Ｔａ１を例に挙げて、説明する。頭痛のタグ情報Ｔａ１は、そのタグ情報Ｔａ１が示す初期時間情報（Ｔａ１）を所定時間（ｄＴ）だけ戻した状態で、対応する時間帯の生体情報、つまり第２時間情報が示す期間（Ｔａ１−ｄＴ，Ｔａ２）の生体情報と関連付けられた状態で記憶される。同様に、腹痛に関し、有効期間Ｔｂ１−ｄＴ〜Ｔｂ２のタグ情報と有効期間Ｔｂ３−ｄＴ〜Ｔｂ４のタグ情報が存在し、それぞれのタグ情報は、それぞれの有効期間の生体情報と関連付けられている。また、図２２の例でも図２の例と同様に、生体情報は、健康情報毎にまとめて個々のデータベースとして格納することもできる。
【００９４】
本実施形態では、より正確に健康状態を特定することができる。
また、収集装置２は、一定期間ｄＴをユーザ操作等により変更することができるように構成しておくことが好ましい。また、収集装置２は、一定期間ｄＴを症状及び部位の組合せに応じて異ならせることもできる。例えば、弱い頭痛より強い頭痛の方が時間的に耐えることができないことが想定される。しかし、このような構成により、例えば強い頭痛についての入力に関する一定期間ｄＴを弱い頭痛についての入力に関する一定期間ｄＴより短く設定するなどにより、症状の開始時点を症状や部位に依らずある程度一定に調整することができる。
【００９５】
＜実施形態３＞
実施形態３に係る生体情報収集システムについて、図２３及び図２４を併せて参照しながら説明する。図２３は、症状の原因の入力を行う一連のＧＵＩ画像の一例を示す図で、図２４は、症状の改善理由の入力を行う一連のＧＵＩ画像の一例を示す図である。なお、本実施形態について、主に実施形態１，２との相違点を中心に説明する。
【００９６】
本実施形態に係る入力装置１における表示制御部１３は、症状の原因（又は症状の回復の原因）であるとユーザが推測する原因を入力するためのＧＵＩ画像を、表示部１２に表示させる。このＧＵＩ画像は、例えば、図２３に示すＧＵＩ画像１５ｊのように、部位領域を選択した状態のＧＵＩ画像１５ａから症状の程度を示す位置でスライド操作を中断することで表示させることができる。
【００９７】
この例では、ＧＵＩ画像１５ａにおいて症状を入力した段階で、図２３に示すように、症状の程度を示す座標（Ｘ２，Ｙ２）で例えば１秒間停止すると、入力部１１は、その座標を終点座標とみなして程度の情報を入力する。
【００９８】
表示制御部１３は、その入力時に、予め用意された次のＧＵＩ画像１５ｊで症状の原因（又はその原因を起こした行動）の一覧を選択可能な状態で表示する。ユーザは、表示された原因の方向へタッチパネル１５をなぞることで、入力部１１はその原因を入力することができる。
【００９９】
ＧＵＩ画像１５ｊでは、頭痛の４つの原因として「インフルエンザ」、「二日酔い」、「寝過ぎ」、及び「ぶつけた」のいずれかを選択可能に表示している。ユーザが、例えば図２３に示すように座標（Ｘ３，Ｙ３）までスライド操作を行うと、入力装置１の入力部１１は、その座標に対応する原因（この場合には「ぶつけた」）を健康情報の一部として入力することができる。入力部１１は、座標（Ｘ２，Ｙ２）と座標（Ｘ３，Ｙ３）との相対座標が、Ｘ２＜Ｘ３且つＹ２＞Ｙ３であることから、原因を「ぶつけた」と入力することができる。このようにして、入力部１１は、ＧＵＩ画像１５ｊにおいて入力された原因を示す情報を、健康情報の少なくとも一部として入力する。
【０１００】
また、図２４に示すように、症状改善（症状の回復）についても同様の入力を行い、症状改善の原因を入力することができる。具体的には、ＧＵＩ画像１５ｅにおいて症状の回復を入力した段階で、図２４に示すように、症状の回復の程度を示す座標（Ｘ２ａ，Ｙ２ａ）で例えば１秒間停止すると、入力部１１は、その座標を終点座標とみなして回復の程度の情報を入力する。
【０１０１】
表示制御部１３は、その入力時に、予め用意された次のＧＵＩ画像１５ｋで症状の回復の原因（又はその原因を起こした行動）の一覧を選択可能な状態で表示する。ユーザは、表示された原因の方向へタッチパネル１５をなぞることで、入力部１１はその原因を入力することができる。
【０１０２】
ＧＵＩ画像１５ｋでは、頭痛が回復した４つの原因として「頭痛薬を飲んだ」、「就寝」、「水分をとった」、及び「冷却」のいずれかを選択可能に表示している。ユーザが、例えば図２４に示すように座標（Ｘ３ａ，Ｙ３ａ）までスライド操作を行うと、入力装置１の入力部１１は、その座標に対応する原因（この場合には「就寝」）を健康情報の一部として入力することができる。入力部１１は、座標（Ｘ２ａ，Ｙ２ａ）と座標（Ｘ３ａ，Ｙ３ａ）との相対座標が、Ｘ２ａ＜Ｘ３ａ且つＹ２ａ＞Ｙ３ａであることから、原因を「就寝」と入力することができる。このようにして、入力部１１は、ＧＵＩ画像１５ｋにおいて入力された原因を示す情報を、健康情報の少なくとも一部として入力する。
【０１０３】
本実施形態では、健康情報の入力を一旦静止するなどにより、症状の原因又は症状の回復の原因を選択可能に表示させ、ユーザに原因を入力させることができる。よって、本実施形態によれば、日時、部位、症状、程度だけでなくその原因も入力することが可能になり、少ない操作で症状や行動（原因）を一意にリアルタイムに入力することができる。
【０１０４】
＜実施形態４＞
実施形態４に係る生体情報収集システムについて、図２５を併せて参照しながら説明する。図２５は、タッチパネル１５において入力を行うときの様子の他の例を示す概念図であり、同時に２つの健康情報を入力する様子の例を示している。なお、本実施形態について、主に実施形態１〜３との相違点を中心に説明する。
【０１０５】
本実施形態に係る入力装置１における表示制御部１３は、複数の症状についての同時入力を受け付け可能なＧＵＩ画像を、表示部１２に表示させる。この場合、入力部１１は、上記複数の症状を示す情報のそれぞれを、個別の健康情報の少なくとも一部として入力する。このような同時入力の受け付けは、特にタッチパネル１５を備えることで容易に実現させることができる。
【０１０６】
このようなＧＵＩ画像は、図５に示すＧＵＩ画像１５ａと同様に図２５に示すＧＵＩ画像１５ａとすることができるが、入力部１１（タッチパネル１５におけるタッチセンサ）が同時入力を受け付けるように構成しておけばよい。この例における入力部１１は、図２５に示すようなユーザによるピンチアウト操作により、「発熱」と「痛い」との２つの症状を同時に入力する。なお、操作方法は、ピンチアウト操作に限ったものではなく、３以上の症状も同時入力可能に構成することもできる。本実施形態によれば、複数の症状を同時入力できるため、操作にかかる時間を短くすることができる。
【０１０７】
＜その他の構成例＞
実施形態１〜４に係る生体情報収集システムにおける各装置は、次のようなハードウェア構成を有することができる。図２６は、生体情報収集システムにおける装置に含まれるハードウェア構成の一例を示す図である。
【０１０８】
図２６に示す装置１００は、図示しない通信インタフェースや必要に応じてセンサを備えるとともに、プロセッサ１０１及びメモリ１０２を有する。上述した各実施形態で説明した様々な装置は、プロセッサ１０１がメモリ１０２に記憶された制御プログラムを読み込んで実行することにより実現される。つまり、この制御プログラムは、プロセッサ１０１を対象となる装置として機能させるためのプログラムである。
【０１０９】
＜付記＞
上記の実施形態の一部又は全部は、以下の付記のようにも記載されうるが、以下には限られない。
【０１１０】
（付記１）
ある日時の健康状態を示す健康情報と前記ある日時を示す第１時間情報とを入力する入力装置と、
生体情報を取得し、取得した日時を示す第２時間情報に関連付けて収集する生体情報収集装置と、
を備え、
前記健康情報と前記第１時間情報とに基づきタグ情報を生成する生成部を有し、
前記第２時間情報と前記タグ情報が示す前記第１時間情報とに基づき、前記タグ情報を前記生体情報に関連付けた状態で記憶する記憶部を有する、
生体情報収集システム。
【０１１１】
（付記２）
前記入力装置は、既に入力された前記健康情報に基づき、前記健康情報の一種としての経過の健康状態を示す経過情報の入力を促す通知を行う通知部を有する、
付記１に記載の生体情報収集システム。
【０１１２】
（付記３）
前記入力装置は、
ある症状又は体のある部位についての初めの健康状態を示す、前記健康情報の一種としての初期情報と、前記初期情報についての前記第１時間情報である初期時間情報と、が入力可能に構成されており、且つ、
前記初めの健康状態からの経過を示す、前記健康情報の一種としての経過情報と、前記経過情報についての前記第１時間情報である経過時間情報と、が入力可能に構成されており、
前記生成部は、前記初期情報についての前記タグ情報を、前記初期情報と前記初期時間情報と前記経過時間情報とに基づき生成する、
付記１に記載の生体情報収集システム。
【０１１３】
（付記４）
前記入力装置は、
表示部と、
体の部位を示す領域を選択可能な状態で表示し、前記領域が選択された場合、選択された領域に対応する部位について生じ得る症状を示す領域を、選択可能な状態で表示するユーザインタフェース画像を、前記表示部に表示させる表示制御部と、
を有し、
前記ユーザインタフェース画像において選択された領域に対応する部位及び症状を示す情報を、前記健康情報の少なくとも一部として入力する、
付記１に記載の生体情報収集システム。
【０１１４】
（付記５）
前記入力装置は、
表示部と、
症状を示す領域を選択可能な状態で表示し、前記領域が選択された場合に、選択された領域に対応する症状が生じ得る体の部位を示す領域を、選択可能な状態で表示するユーザインタフェース画像を、前記表示部に表示させる表示制御部と、
を有し、
前記ユーザインタフェース画像において選択された領域に対応する症状及び部位を示す情報を、前記健康情報の少なくとも一部として入力する、
付記１に記載の生体情報収集システム。
【０１１５】
（付記６）
前記入力装置は、
表示部と、
体の部位を示す領域を選択可能な状態で表示し、前記領域が選択された場合、選択された領域に対応する部位について生じ得る症状を示す領域を、選択可能な状態で表示するユーザインタフェース画像を、前記表示部に表示させる表示制御部と、
を有し、
前記部位を示す領域における選択された位置又は前記部位を示す領域中の所定位置から前記症状を示す領域における選択された位置までの距離に応じて、症状の度合いを決定し、
前記ユーザインタフェース画像において選択された領域に対応する部位及び症状を示す情報と、前記度合いを示す情報とを、前記健康情報の少なくとも一部として入力する、
付記１に記載の生体情報収集システム。
【０１１６】
（付記７）
前記入力装置は、
表示部と、
体の部位を示す領域を選択可能な状態で表示し、前記領域が選択された場合、選択された領域に対応する部位について生じ得る症状を示す領域を、選択可能な状態で表示する初期ユーザインタフェース画像を、前記表示部に表示させる表示制御部と、
を有し、
前記部位を示す領域における選択された位置又は前記部位を示す領域中の所定位置から前記症状を示す領域において最終的に選択された位置までの距離に応じて、症状の度合いを決定し、
前記初期ユーザインタフェース画像において選択された領域に対応する部位及び症状を示す情報と、前記度合いを示す情報とを、前記健康情報の一種としての初めの健康状態を示す初期情報の少なくとも一部として入力し、
前記表示制御部は、前記初期情報における前記度合いを示す情報を変更可能な状態で表示する経過入力用ユーザインタフェース画像を、前記表示部に表示させ、
前記入力装置は、前記経過入力用ユーザインタフェース画像において変更された前記度合いを示す情報と、前記部位及び症状を示す情報とを、前記初めの健康状態からの経過を示す、前記健康情報の一種としての経過情報の少なくとも一部として入力する、
付記１に記載の生体情報収集システム。
【０１１７】
（付記８）
前記入力装置は、
表示部と、
症状の原因又は症状の回復の原因であるとユーザが推測する原因を入力するためのユーザインタフェース画像を、前記表示部に表示させる表示制御部と、
を有し、
前記ユーザインタフェース画像において入力された原因を示す情報を、前記健康情報の少なくとも一部として入力する、
付記１に記載の生体情報収集システム。
【０１１８】
（付記９）
前記入力装置は、
表示部と、
複数の症状についての同時入力を受け付け可能なユーザインタフェース画像を、前記表示部に表示させる表示制御部と、
を有し、
前記複数の症状を示す情報のそれぞれを、個別の前記健康情報の少なくとも一部として入力する、
付記１に記載の生体情報収集システム。
【０１１９】
（付記１０）
前記記憶部は、前記タグ情報が示す第１時間情報を所定時間遡らせ、前記タグ情報を前記生体情報に関連付けた状態で記憶する、
付記１に記載の生体情報収集システム。
【０１２０】
（付記１１）
前記健康情報は、症状及び部位を示す情報を含み、
前記生体情報は、前記タグ情報が示す前記健康情報に従って症状及び部位の組合せ毎に記憶される、
付記１に記載の生体情報収集システム。
【０１２１】
（付記１２）
ある日時の健康状態を示す健康情報と前記ある日時を示す第１時間情報とを入力する入力部と、
前記健康情報と前記第１時間情報とに基づきタグ情報を生成する生成部と、
生体情報を取得し且つ取得した日時を示す第２時間情報に前記生体情報を関連付けて収集する生体情報収集装置から、前記生体情報を受信する受信部と、
前記第２時間情報と前記タグ情報が示す前記第１時間情報とに基づき、前記タグ情報を前記生体情報に関連付けた状態で記憶する記憶部と、
を有する、入力装置。
【０１２２】
（付記１３）
生体情報を取得し、取得した日時を示す第１時間情報に関連付けた状態で記憶する記憶部と、
外部の入力装置から、ある日時の健康状態を示す健康情報と前記ある日時を示す第２時間情報とを含むタグ情報を受信する受信部と、
を有し、
前記記憶部は、前記タグ情報を、前記第１時間情報と前記タグ情報が示す前記第２時間情報とに基づき、前記生体情報に関連付けた状態で記憶する、
生体情報収集装置。
【０１２３】
（付記１４）
ある日時の健康状態を示す健康情報と前記ある日時を示す第１時間情報とを入力する入力ステップと、
生体情報を取得し、取得した日時を示す第２時間情報に関連付けて収集する生体情報収集ステップと、
を備え、
前記健康情報と前記第１時間情報とに基づきタグ情報を生成する生成ステップを有し、
前記第２時間情報と前記タグ情報が示す前記第１時間情報とに基づき、前記タグ情報を前記生体情報に関連付けた状態で記憶する記憶ステップを有する、
生体情報収集方法。
【０１２４】
（付記１５）
前記入力ステップは、既に入力された前記健康情報に基づき、前記健康情報の一種としての経過の健康状態を示す経過情報の入力を促す通知を行う通知ステップを有する、
付記１４に記載の生体情報収集方法。
【０１２５】
（付記１６）
前記入力ステップは、
ある症状又は体のある部位についての初めの健康状態を示す、前記健康情報の一種としての初期情報と、前記初期情報についての前記第１時間情報である初期時間情報と、を入力するステップと、
前記初めの健康状態からの経過を示す、前記健康情報の一種としての経過情報と、前記経過情報についての前記第１時間情報である経過時間情報と、を入力するステップと、
を有し、
前記生成ステップは、前記初期情報についての前記タグ情報を、前記初期情報と前記初期時間情報と前記経過時間情報とに基づき生成する、
付記１４に記載の生体情報収集方法。
【０１２６】
（付記１７）
前記入力ステップは、
体の部位を示す領域を選択可能な状態で表示し、前記領域が選択された場合、選択された領域に対応する部位について生じ得る症状を示す領域を、選択可能な状態で表示するユーザインタフェース画像を、表示部に表示させる表示制御ステップを有し、
前記ユーザインタフェース画像において選択された領域に対応する部位及び症状を示す情報を、前記健康情報の少なくとも一部として入力する、
付記１４に記載の生体情報収集方法。
【０１２７】
（付記１８）
前記入力ステップは、
症状を示す領域を選択可能な状態で表示し、前記領域が選択された場合に、選択された領域に対応する症状が生じ得る体の部位を示す領域を、選択可能な状態で表示するユーザインタフェース画像を、表示部に表示させる表示制御ステップを有し、
前記ユーザインタフェース画像において選択された領域に対応する症状及び部位を示す情報を、前記健康情報の少なくとも一部として入力する、
付記１４に記載の生体情報収集方法。
【０１２８】
（付記１９）
前記入力ステップは、
体の部位を示す領域を選択可能な状態で表示し、前記領域が選択された場合、選択された領域に対応する部位について生じ得る症状を示す領域を、選択可能な状態で表示するユーザインタフェース画像を、表示部に表示させる表示制御ステップを有し、
前記部位を示す領域における選択された位置又は前記部位を示す領域中の所定位置から前記症状を示す領域における選択された位置までの距離に応じて、症状の度合いを決定し、
前記ユーザインタフェース画像において選択された領域に対応する部位及び症状を示す情報と、前記度合いを示す情報とを、前記健康情報の少なくとも一部として入力する、
付記１４に記載の生体情報収集方法。
【０１２９】
（付記２０）
前記入力ステップは、
体の部位を示す領域を選択可能な状態で表示し、前記領域が選択された場合、選択された領域に対応する部位について生じ得る症状を示す領域を、選択可能な状態で表示する初期ユーザインタフェース画像を、表示部に表示させる表示制御ステップを有し、
前記部位を示す領域における選択された位置又は前記部位を示す領域中の所定位置から前記症状を示す領域において最終的に選択された位置までの距離に応じて、症状の度合いを決定し、
前記初期ユーザインタフェース画像において選択された領域に対応する部位及び症状を示す情報と、前記度合いを示す情報とを、前記健康情報の一種としての初めの健康状態を示す初期情報の少なくとも一部として入力し、
前記表示制御ステップは、前記初期情報における前記度合いを示す情報を変更可能な状態で表示する経過入力用ユーザインタフェース画像を、前記表示部に表示させ、
前記入力ステップは、前記経過入力用ユーザインタフェース画像において変更された前記度合いを示す情報と、前記部位及び症状を示す情報とを、前記初めの健康状態からの経過を示す、前記健康情報の一種としての経過情報の少なくとも一部として入力する、
付記１４に記載の生体情報収集方法。
【０１３０】
（付記２１）
前記入力ステップは、
症状の原因又は症状の回復の原因であるとユーザが推測する原因を入力するためのユーザインタフェース画像を、表示部に表示させる表示制御ステップを有し、
前記ユーザインタフェース画像において入力された原因を示す情報を、前記健康情報の少なくとも一部として入力する、
付記１４に記載の生体情報収集方法。
【０１３１】
（付記２２）
前記入力ステップは、
複数の症状についての同時入力を受け付け可能なユーザインタフェース画像を、表示部に表示させる表示制御ステップを有し、
前記複数の症状を示す情報のそれぞれを、個別の前記健康情報の少なくとも一部として入力する、
付記１４に記載の生体情報収集方法。
【０１３２】
（付記２３）
前記記憶ステップは、前記タグ情報が示す第１時間情報を所定時間遡らせ、前記タグ情報を前記生体情報に関連付けた状態で記憶する、
付記１４に記載の生体情報収集方法。
【０１３３】
（付記２４）
前記健康情報は、症状及び部位を示す情報を含み、
前記記憶ステップは、前記生体情報を、前記タグ情報が示す前記健康情報に従って症状及び部位の組合せ毎に記憶する、
付記１４に記載の生体情報収集方法。
【０１３４】
（付記２５）
ある日時の健康状態を示す健康情報と前記ある日時を示す第１時間情報とを入力する入力ステップと、
前記健康情報と前記第１時間情報とに基づきタグ情報を生成する生成ステップと、
生体情報を取得し且つ取得した日時を示す第２時間情報に前記生体情報を関連付けて収集する生体情報収集装置から、前記生体情報を受信する受信ステップと、
前記第２時間情報と前記タグ情報が示す前記第１時間情報とに基づき、前記タグ情報を前記生体情報に関連付けた状態で記憶する記憶ステップと、
を有する、入力方法。
【０１３５】
（付記２６）
生体情報を取得し、取得した日時を示す第１時間情報に関連付けた状態で記憶する記憶ステップと、
外部の入力装置から、ある日時の健康状態を示す健康情報と前記ある日時を示す第２時間情報とを含むタグ情報を受信する受信ステップと、
を有し、
前記記憶ステップは、前記タグ情報を、前記第１時間情報と前記タグ情報が示す前記第２時間情報とに基づき、前記生体情報に関連付けた状態で記憶する、
生体情報収集方法。
【０１３６】
（付記２７）
コンピュータに、
ある日時の健康状態を示す健康情報と前記ある日時を示す第１時間情報とを入力する入力ステップと、
前記健康情報と前記第１時間情報とに基づきタグ情報を生成する生成ステップと、
生体情報を取得し且つ取得した日時を示す第２時間情報に前記生体情報を関連付けて収集する生体情報収集装置から、前記生体情報を受信する受信ステップと、
前記第２時間情報と前記タグ情報が示す前記第１時間情報とに基づき、前記タグ情報を前記生体情報に関連付けた状態で記憶する記憶ステップと、
を実行させるためのプログラム。
【０１３７】
（付記２８）
前記入力ステップは、既に入力された前記健康情報に基づき、前記健康情報の一種としての経過の健康状態を示す経過情報の入力を促す通知を行う通知ステップを有する、
付記２７に記載のプログラム。
【０１３８】
（付記２９）
前記入力ステップは、
ある症状又は体のある部位についての初めの健康状態を示す、前記健康情報の一種としての初期情報と、前記初期情報についての前記第１時間情報である初期時間情報と、を入力するステップと、
前記初めの健康状態からの経過を示す、前記健康情報の一種としての経過情報と、前記経過情報についての前記第１時間情報である経過時間情報と、を入力するステップと、
を有し、
前記生成ステップは、前記初期情報についての前記タグ情報を、前記初期情報と前記初期時間情報と前記経過時間情報とに基づき生成する、
付記２７に記載のプログラム。
【０１３９】
（付記３０）
前記入力ステップは、
体の部位を示す領域を選択可能な状態で表示し、前記領域が選択された場合、選択された領域に対応する部位について生じ得る症状を示す領域を、選択可能な状態で表示するユーザインタフェース画像を、表示部に表示させる表示制御ステップを有し、
前記ユーザインタフェース画像において選択された領域に対応する部位及び症状を示す情報を、前記健康情報の少なくとも一部として入力する、
付記２７に記載のプログラム。
【０１４０】
（付記３１）
前記入力ステップは、
症状を示す領域を選択可能な状態で表示し、前記領域が選択された場合に、選択された領域に対応する症状が生じ得る体の部位を示す領域を、選択可能な状態で表示するユーザインタフェース画像を、表示部に表示させる表示制御ステップを有し、
前記ユーザインタフェース画像において選択された領域に対応する症状及び部位を示す情報を、前記健康情報の少なくとも一部として入力する、
付記２７に記載のプログラム。
【０１４１】
（付記３２）
前記入力ステップは、
体の部位を示す領域を選択可能な状態で表示し、前記領域が選択された場合、選択された領域に対応する部位について生じ得る症状を示す領域を、選択可能な状態で表示するユーザインタフェース画像を、表示部に表示させる表示制御ステップを有し、
前記部位を示す領域における選択された位置又は前記部位を示す領域中の所定位置から前記症状を示す領域における選択された位置までの距離に応じて、症状の度合いを決定し、
前記ユーザインタフェース画像において選択された領域に対応する部位及び症状を示す情報と、前記度合いを示す情報とを、前記健康情報の少なくとも一部として入力する、
付記２７に記載のプログラム。
【０１４２】
（付記３３）
前記入力ステップは、
体の部位を示す領域を選択可能な状態で表示し、前記領域が選択された場合、選択された領域に対応する部位について生じ得る症状を示す領域を、選択可能な状態で表示する初期ユーザインタフェース画像を、表示部に表示させる表示制御ステップを有し、
前記部位を示す領域における選択された位置又は前記部位を示す領域中の所定位置から前記症状を示す領域において最終的に選択された位置までの距離に応じて、症状の度合いを決定し、
前記初期ユーザインタフェース画像において選択された領域に対応する部位及び症状を示す情報と、前記度合いを示す情報とを、前記健康情報の一種としての初めの健康状態を示す初期情報の少なくとも一部として入力し、
前記表示制御ステップは、前記初期情報における前記度合いを示す情報を変更可能な状態で表示する経過入力用ユーザインタフェース画像を、前記表示部に表示させ、
前記入力ステップは、前記経過入力用ユーザインタフェース画像において変更された前記度合いを示す情報と、前記部位及び症状を示す情報とを、前記初めの健康状態からの経過を示す、前記健康情報の一種としての経過情報の少なくとも一部として入力する、
付記２７に記載のプログラム。
【０１４３】
（付記３４）
前記入力ステップは、
症状の原因又は症状の回復の原因であるとユーザが推測する原因を入力するためのユーザインタフェース画像を、表示部に表示させる表示制御ステップを有し、
前記ユーザインタフェース画像において入力された原因を示す情報を、前記健康情報の少なくとも一部として入力する、
付記２７に記載のプログラム。
【０１４４】
（付記３５）
前記入力ステップは、
複数の症状についての同時入力を受け付け可能なユーザインタフェース画像を、表示部に表示させる表示制御ステップを有し、
前記複数の症状を示す情報のそれぞれを、個別の前記健康情報の少なくとも一部として入力する、
付記２７に記載のプログラム。
【０１４５】
（付記３６）
コンピュータに、
生体情報を取得し、取得した日時を示す第１時間情報に関連付けた状態で記憶する記憶ステップと、
外部の入力装置から、ある日時の健康状態を示す健康情報と前記ある日時を示す第２時間情報とを含むタグ情報を受信する受信ステップと、
を実行させるためのプログラムであって、
前記記憶ステップは、前記タグ情報を、前記第１時間情報と前記タグ情報が示す前記第２時間情報とに基づき、前記生体情報に関連付けた状態で記憶する、
プログラム。
【０１４６】
（付記３７）
前記記憶ステップは、前記タグ情報が示す第１時間情報を所定時間遡らせ、前記タグ情報を前記生体情報に関連付けた状態で記憶する、
付記３６に記載のプログラム。
（付記３８）
前記健康情報は、症状及び部位を示す情報を含み、
前記記憶ステップは、前記生体情報を、前記タグ情報が示す前記健康情報に従って症状及び部位の組合せ毎に記憶する、
付記３６に記載のプログラム。
【０１４７】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【０１４８】
１  健康情報入力装置（入力装置）
１ａ  端末装置
２  生体情報収集装置（収集装置）
２ａ  ウェアラブルデバイス
１０  入力装置側の制御部
１０ａ  生成部
１０ｂ  通知部
１１  入力部
１２  表示部
１３  表示制御部
１４  入力装置側の通信部
１５  タッチパネル
１５ａ，１５ｂ，１５ｃ，１５ｄ，１５ｅ，１５ｆ，１５ｈ，１５ｉ，１５ｊ，１５ｋ  ＧＵＩ画像
２０  収集装置側の制御部
２１  センサ
２２  記憶部
２３  収集装置側の通信部
２４  測定開始ボタン
３０，３０ｆ  データベース
３０ａ，３２，３３  生体情報
３０ｄ，３０ｅ  データ
３１，３１ｄ，３１ｅ，４７  タグ情報
３１ｂ  日時情報
４０  タグ情報生成部
４１，４３  情報
４２  計算部
４４，４５，４６  変換テーブル
【図１】
2019200573.tif 000003
【図２】
2019200573.tif 000004
【図３】
2019200573.tif 000005
【図４】
2019200573.tif 000006
【図５】
2019200573.tif 000007
【図６】
2019200573.tif 000008
【図７】
2019200573.tif 000009
【図８】
2019200573.tif 000010
【図９】
2019200573.tif 000011
【図１０】
2019200573.tif 000012
【図１１】
2019200573.tif 000013
【図１２】
2019200573.tif 000014
【図１３】
2019200573.tif 000015
【図１４】
2019200573.tif 000016
【図１５】
2019200573.tif 000017
【図１６】
2019200573.tif 000018
【図１７】
2019200573.tif 000019
【図１８】
2019200573.tif 000020
【図１９】
2019200573.tif 000021
【図２０】
2019200573.tif 000022
【図２１】
2019200573.tif 000023
【図２２】
2019200573.tif 000024
【図２３】
2019200573.tif 000025
【図２４】
2019200573.tif 000026
【図２５】
2019200573.tif 000027
【図２６】
2019200573.tif 000028